(57)【要約】  目的の物質、例えば、生物学的、化学的または他の毒性物質を、表面上又は表面から中和するための方法および組成物が提供される。方法は、中和組成物を目的の物質が堆積されている表面に塗工すること（ここで、この組成物は、樹脂および活性汚染除去剤を含む）と、目的の物質を中和組成物で封入することと、前記中和組成物を硬化させるかまたは何らかの方法で固化させて、表面上にポリマー被覆を形成することと、場合により、被覆を表面から剥離させることとを含む。剥離により、目的の物質の一部または全部を表面から除去することができる。活性汚染除去剤の存在により、場合により、剥離とは無関係に、目的の物質がさらに中和される。また、本明細書で提供された方法に使用することができる中和組成物も提供される。
2020527975.tif 000002
【特許請求の範囲】
【請求項１】
目的の物質を中和する方法であって
樹脂および活性汚染除去剤を含む中和組成物を、前記目的の物質が配置されている表面に塗工することと、
前記目的の物質を中和組成物で封入することと、
前記中和組成物を前記表面上で硬化させることにより、前記表面上にポリマー被覆を形成することと、
前記ポリマー被覆を前記表面から剥離させて、前記目的の物質を前記表面から除去することとを含む、
方法。
【請求項２】
前記目的の物質が、生物兵器、化学系神経剤、化学系びらん剤、血液剤、肺損傷剤、有毒工業化学物質（ＴＩＣ）、有毒工業物質（ＴＩＭ）またはそれらの任意の組み合わせからなる群から選択される、請求項１記載の方法。
【請求項３】
前記目的の物質が、細菌、細菌胞子、タンパク質またはウイルスを含む生物兵器である、請求項１記載の方法。
【請求項４】
前記活性汚染除去剤が、塩化物化合物または硫化物化合物を含む、請求項１記載の方法。
【請求項５】
前記中和組成物を塗工することが、前記中和組成物を水性組成物として塗工することを含む、請求項１から４までのいずれか１項記載の方法。
【請求項６】
前記中和組成物を塗工することが、前記中和組成物を前記表面上に噴霧することを含む、請求項１から４までのいずれか１項記載の方法。
【請求項７】
前記表面が、多孔質表面または非多孔質表面を含む、請求項１から４までのいずれか１項記載の方法。
【請求項８】
前記表面が、塗装表面、プラスチック表面またはガラス表面を含む、請求項１から４までのいずれか１項記載の方法。
【請求項９】
樹脂と、
前記樹脂内に存在する活性汚染除去剤とを含む、
中和組成物。
【請求項１０】
前記活性汚染除去剤が、第四級アンモニウムまたは第四級ホスホニウム化合物、場合により、硫酸テトラキスヒドロキシメチルホスホニウム（ＴＨＰＳ）または塩化ベンザルコニウム（ＢＡＣ）を含む、請求項９記載の中和組成物。
【請求項１１】
前記中和組成物のｐＨが、６超である、請求項９または１０記載の中和組成物。
【請求項１２】
さらに、約８〜約９の前記中和組成物のｐＨをもたらすのに有効な量のｐＨ調整剤を含む、請求項９または１０記載の中和組成物。
【請求項１３】
前記ｐＨ調整剤が、炭酸ナトリウム、炭酸カルシウム、重炭酸ナトリウム、四ホウ酸ナトリウム六水和物、水酸化ナトリウムおよびそれらの組み合わせからなる群から選択される、請求項１２記載の中和組成物。
【請求項１４】
前記活性汚染除去剤が、前記中和組成物の総重量に基づいて、約１重量％〜約１５重量％の量で存在する、請求項９または１０記載の中和組成物。
【請求項１５】
さらに、少なくとも１種の顔料、懸濁助剤またはレオロジー調整剤を含む、請求項９または１０記載の中和組成物。
【請求項１６】
さらに、少なくとも１種の固体吸着剤、イオン交換樹脂または反応性金属酸化物を含む、請求項９または１０記載の中和組成物。
【請求項１７】
生物兵器を中和する方法であって、
ビニル樹脂および活性汚染除去剤を含む中和組成物を、前記生物兵器が配置されている実質的に非多孔質表面上に噴霧することと、
前記生物兵器を前記中和組成物で封入することと、
前記非多孔質表面上の前記中和組成物を硬化させまたは乾燥させることにより、固体ポリマー被覆を前記非多孔質表面上に形成することと、
前記ポリマー被覆を前記非多孔質表面から剥離させることとを含み、
前記ポリマー被覆を前記非多孔質表面から剥離させることが、前記生物兵器を中和するのに有効である、
方法。
【請求項１８】
前記汚染除去剤が、第四級アンモニウムまたは第四級ホスホニウムを含む、請求項１７記載の方法。
【請求項１９】
前記活性汚染除去剤が、前記中和組成物の総重量に基づいて、約１重量％〜約１５重量％の量で存在する、請求項１８記載の方法。
【請求項２０】
目的の物質の中和ための組成物であって、
ビニル樹脂、天然ラテックス樹脂、合成ラテックス樹脂またはそれらの任意の組み合わせと、
前記樹脂内の１種以上の活性汚染除去剤とを含む、
組成物。
【請求項２１】
前記１種以上の活性汚染除去剤が、第四級アンモニウムまたは第四級ホスホニウム化合物を含む、請求項２０記載の組成物。
【請求項２２】
前記樹脂が、ビニル樹脂であり、前記活性汚染除去剤が、第四級アンモニウムを含む、請求項２０記載の組成物。
【請求項２３】
さらに、約８〜約９の前記組成物のｐＨをもたらすのに有効な量のｐＨ調整剤を含む、請求項２０から２２までのいずれか１項記載の組成物。
【請求項２４】
前記ｐＨ調整剤が、炭酸ナトリウム、炭酸カルシウム、重炭酸ナトリウム、四ホウ酸ナトリウム六水和物、水酸化ナトリウムおよびそれらの組み合わせからなる群から選択される、請求項２３記載の組成物。
【請求項２５】
前記活性汚染除去剤が、前記組成物の総重量に基づいて、約１重量％〜約１５重量％の量で存在する、請求項２０から２２までのいずれか１項記載の組成物。
【請求項２６】
さらに、少なくとも１種の顔料、懸濁助剤またはレオロジー調整剤を含む、請求項２０から２２までのいずれか１項記載の組成物。
【請求項２７】
さらに、少なくとも１種の固体吸着剤、イオン交換樹脂または反応性金属酸化物を含む、請求項２０から２２までのいずれか１項記載の組成物。
【請求項２８】
請求項９、１０、２０、２１または２２までのいずれか１項記載の組成物を含む、基材の表面上の目的の物質を中和する方法において使用するための組成物。
【請求項２９】
前記目的の物質が、生物兵器、化学系神経剤、化学系びらん剤、血液剤、肺損傷剤、有毒工業化学物質（ＴＩＣ）または有毒工業物質（ＴＩＭ）からなる群から選択される、請求項２８記載の組成物。
【請求項３０】
前記目的の物質が、細菌、細菌胞子またはウイルスを含む生物兵器である、請求項２８記載の組成物。
【請求項３１】
前記活性汚染除去剤が、塩化物化合物または硫化物化合物を含む、請求項２８記載の組成物。
【請求項３２】
前記中和組成物を塗工することが、前記中和組成物を水性組成物として塗工することを含む、請求項２８から３１までのいずれか１項記載の組成物。
【請求項３３】
前記中和組成物を塗工することが、前記中和組成物を表面上に噴霧することを含む、請求項２８から３１までのいずれか１項記載の組成物。
【請求項３４】
前記表面が、多孔質表面または非多孔質表面を含む、請求項３３記載の組成物。
【請求項３５】
前記表面が、塗装表面、プラスチック表面またはガラス表面を含む、請求項３３記載の組成物。
【請求項３６】
実質的に本明細書に記載された組成物。
【請求項３７】
実質的に本明細書に記載された方法。
【請求項３８】
目的の物質を中和する方法であって、
請求項１から７までのいずれか１項記載の方法を任意の組み合わせで含む、
方法。
【請求項３９】
請求項９から１６までのいずれか１項記載の組成物を任意の組み合わせで含む、
組成物。
【請求項４０】
前記樹脂が、ビニル樹脂、天然ラテックス樹脂、合成ラテックス樹脂またはそれらの任意の組み合わせである、請求項４０記載の組成物。
【請求項４１】
前記樹脂が、ビニル樹脂であり、前記活性汚染除去剤が、第四級アンモニウムを含む、請求項４０記載の組成物。
【発明の詳細な説明】
【技術分野】
【０００１】
関連出願の相互参照
本願は、２０１７年７月１７日に出願された米国仮出願第６２／５３３，１６０号に依拠し、その優先権を主張する。同出願の全内容は、参照により本明細書に組み込まれる。
【０００２】
技術分野
本明細書は、全体として、物質の中和のための方法および組成物、より具体的には、物質の安全な除染および処分を可能にする、物質の中和のための方法および組成物に関する。
【０００３】
政府の利益についての記述
本発明のための資金は、米空軍との契約番号Ｆ３３６１５−０３−Ｍ−６３８１ならびに米国環境保護庁（ＥＰＡ）との契約番号ＥＰ−Ｄ−０６−０５９およびＥＰ−Ｄ−１７−０１３により米国政府から得られた。このため、米国政府は、本明細書において特許請求される本発明に一定の権利を有する。
【０００４】
背景
軍事行動またはテロ攻撃の際に、化学兵器剤および／もしくは生物兵器剤ならびに／または放射性物質（すなわち、微粒子）（ＣＢＲ）の汚染が使用されるおそれは、米軍および文官に継続的な脅威を与えている。バイオテクノロジー分野の進歩と、その結果としての大量の感染病原体および生物毒素の製造が容易になったことにより、生物学的危険性の伝播の脅威ならびに他の大量破壊兵器についての進行中の可能性、例えば、化学的および放射線学的脅威がさらに増している。
【０００５】
炭疽菌は、最も可能性の高い生物兵器剤のテロの脅威の１つとして特定されている。典型的には、炭疽菌は、テロ攻撃においてエアロゾルとして散布される。曝露された未処置の個体の死亡率は、９０％を超え、１〜７日で作用すると予想され、ほとんどが４８時間以内に死亡するであろう。炭疽菌胞子は非常に耐久性があり、環境中で５０年以上持続することができる。多くの生物兵器剤汚染除去剤は、炭疽菌胞子に対して有効ではない。さらに、残存する炭疽菌胞子は、汚染除去努力を支援するものを含め、個体に継続的な脅威を与えるおそれがある。
【０００６】
水性洗浄を利用する／必要とするＣＢＲ脅威の中和および軽減のための従来の方法には、発生する廃棄物の量および／または一次危険箇所からの環境への流出のおそれについての問題がある。流出により、二次汚染（すなわち、交差汚染）のおそれが生じる。したがって、処分のために安全でありつつ、化学兵器剤および生物兵器剤を汚染除去するのに有効で安全な組成物ならびにその使用のための方法が必要とされている。
【０００７】
発明の概要
下記概要は、本開示に固有の革新的な特徴のうちのいくつかについて理解を容易にするために提供され、完全な説明であることを意図するものではない。本開示の種々の態様の完全な理解は、明細書全体、特許請求の範囲、図面および要約を全体として把握することにより得ることができる。
【０００８】
表面上の１種以上の目的の物質を中和する方法が提供される。目的の物質を中和する方法は、中和組成物を、目的の物質が配置されている表面に塗工することと、目的の物質を、この目的の物質を中和するのに有効な中和組成物で封入することと、中和組成物を表面上で硬化させることにより、表面上にポリマー被覆を形成することと、場合により、ポリマー被覆を表面から剥離させて、目的の物質の一部または全部を表面から効果的に除去することとを含むことができる。中和組成物は、場合により、ビニル樹脂、場合により、ポリビニルアルコールおよび活性汚染除去剤を含む。中和組成物は、ビニル樹脂および活性汚染除去剤を含むことができる。活性汚染除去剤は、硫酸テトラキスヒドロキシメチルホスホニウム（ＴＨＰＳ）であってもよいし、それを含んでもよい。
【０００９】
場合により、生物兵器を中和する方法は、樹脂および活性汚染除去剤を含む中和組成物を、目的の物質が配置されている表面上に噴霧することを含むことができる。この方法は、さらに、目的の物質を中和組成物で封入して、生物兵器を効果的に中和することと、表面上の中和組成物を硬化させることにより、ポリマー被覆を表面上に形成することとを含む。また、この方法は、ポリマー被覆を表面から剥離させて、生物兵器を表面から効果的に除去することも含むことができる。ポリマー被覆を硬い非多孔質表面から剥離させることは、場合により、ポリマー被覆を表面から完全に除去するのに有効である。
【００１０】
また、目的の物質、例えば、生物学的、化学的もしくは他の毒性または感染性因子を中和するのに使用することができる組成物も提供される。中和組成物は、場合により、１種以上の樹脂と、場合により、１種以上の活性汚染除去剤とを含む。樹脂は、場合により、水性溶媒または非水性溶媒中に存在する。これにより、１種以上の活性汚染除去剤が、目的の物質に効果的に接触し、目的の物質の１種以上の物理的、化学的または機能的特徴を変化させることが可能となる。樹脂は、場合により、硬化または乾燥時に実質的に固体のポリマー材料を形成することができる重合性材料または重合済み材料である。得られるポリマー材料は、場合により、亀裂、引き裂き、破砕等せずに表面から剥離可能であるように、適切な可撓性で堅牢な構造を有する。これにより、ポリマー材料は、１つのピースで表面から除去することができることによって、目的の物質の望ましくない拡散の機会を低減することができる。
【００１１】
本開示により提供されるこれらの特徴および追加の特徴は、提供された図面、要約および特許請求の範囲と併せて、下記詳細な説明を考慮して、より完全に理解されるであろう。
【００１２】
図面で説明された実施形態は、実質的に例証的かつ例示的なものであり、特許請求の範囲により定義された主題を限定することを意図するものではない。例証的な実施形態の下記詳細な説明は、下記図面と併せて読むと理解することができる。同図面において、同様の構造は、同様の参照符号で示されている。
【図面の簡単な説明】
【００１３】
【図１】図１は、本明細書に示され、記載された１つ以上の実施形態に係る、汚染された表面から除去される中和組成物から形成された剥離可能なポリマーフィルムを示す。
【図２】図２は、本明細書に示され、記載された１つ以上の実施形態に係る、重合済み中和組成物およびサンプリング装置としての例示的な使用を示す。
【００１４】
詳細な説明
特定の実施形態の下記説明は、実質的に単に例示的なものであり、本発明の範囲、その用途または使用を限定することを何ら意図するものではなく、当然、これらを変更することができる。本発明は、本明細書に含まれる非限定的な定義および用語に関連して記載される。これらの定義および用語は、本発明の範囲または実施に対する限定として機能するようには設計されておらず、例証および説明のみを目的として提示されている。方法または組成物は、個々の工程の順序としてまたは特定の材料を使用して記載されるが、工程または材料は、本発明の記載が当業者により容易に理解されるように、様々な方法で配置された複数の部品または工程を含むことができるように、互換的であり得ると理解される。
【００１５】
構成要素が別の構成要素「上に（ｏｎ）」あると言及される場合、それは、他の構成要素上に直接存在することができまたは介在構成要素がそれらの間に存在することができると理解されるであろう。対照的に、構成要素が別の構成要素の「直上に（ｄｉｒｅｃｔｌｙ  ｏｎ）」にあると言及される場合、介在構成要素は存在しない。
【００１６】
「第１の」、「第２の」、「第３の」等の用語は、種々の構成要素、成分、領域、層および／またはセクションを記載するのに本明細書で使用することができるが、これらの構成要素、成分、領域、層および／またはセクションは、これらの用語により限定されるべきではないと理解されるであろう。これらの用語は、１つの構成要素、成分、領域、層またはセクションを、別の構成要素、成分、領域、層またはセクションと区別するためにのみ使用される。このため、以下で検討される「第１の構成要素」、「成分」、「領域」、「層」または「セクション」は、本明細書における教示を逸脱することなく、第２（または他の）構成要素、成分、領域、層またはセクションと呼ぶことができる。
【００１７】
本明細書で使用される用語は、特定の実施形態を説明するためだけのものであり、限定することを意図するものではない。本明細書で使用する場合、単数形「ａ」、「ａｎ」および「ｔｈｅ」は、内容が別段の明確な指示をしない限り、「少なくとも１つ」を含めた複数形を含むことが意図される。「または」は、「および／または」を意味する。本明細書で使用する場合、「および／または」という用語は、関連する列挙された項目のうちの１つ以上の任意および全ての組み合わせを含む。本明細書で使用する場合、「含む（ｃｏｍｐｒｉｓｅ）」および／もしくは「含む（ｃｏｍｐｒｉｓｉｎｇ）」または「含む（ｉｎｃｌｕｄｅ）」および／もしくは「含む（ｉｎｃｌｕｄｉｎｇ）」という用語は、記述された特徴、領域、整数、工程、操作、構成要素および／または成分の存在を明示するが、１つ以上の他の特徴、領域、整数、工程、操作、構成要素、成分および／またはそれらの群の存在または追加を排除するものではないとさらに理解されるであろう。「またはそれらの組み合わせ」という語は、前述の構成要素のうちの少なくとも１つを含む組み合わせを意味する。
【００１８】
別段の定義がない限り、本明細書で使用される全ての用語（技術用語および科学用語を含む）は、本開示が属する技術分野の当業者により共通して理解されるものと同じ意味を有する。一般的に使用される辞書で定義される用語等の用語は、関連技術および本開示の文脈における意味と一致する意味を有するものとして解釈されるべきであり、本明細書で明示的に定義されない限り、理想化されたまたは過度に形式的な意味で解釈されないであろうとさらに理解されるであろう。
【００１９】
「実質的に」および「約」という用語は、本明細書において、任意の定量的な比較、値、測定または他の表現に起因する場合がある固有の不確実性の程度を表すのに利用できることに留意されたい。また、これらの用語は本明細書において、当該主題の基本的な機能の変化をもたらすことなく、定量的な表現が記述された参照から変化する場合がある程度を表すのに利用される。
【００２０】
重合性樹脂および活性汚染除去剤を含む、中和組成物が提供される。中和組成物が目的の物質、例えば、生物兵器を含む表面に塗工される場合、中和組成物は、目的の物質を封入しまたは何らかの方法で目的の物質に付着して、この物質を中和し、次いで、硬化される。組成物の硬化により、表面上にポリマー被覆が形成され、中和された組成物は、ポリマー被覆内に含有されるかまたはポリマー被覆に付着する。種々の実施形態では、ポリマー被覆は、表面から、場合により、１ピースで剥離させることができ、それにより、目的の物質を表面から除去しまたは表面に残る材料の量を減らすことができる。組成物およびこの組成物を使用する方法の種々の実施形態は、本明細書においてより詳細に記載されるであろう。
【００２１】
本明細書で使用する場合、「中和」または「中和する」という用語は、目的の物質が生物に損傷を引き起こすことがほとんどできなくなるまたは生物に損傷を引き起こすことがほとんどできなくするために、先に汚染された表面上で減少した量で存在すると定義される。「完全に中和する」または「完全中和」という用語は、目的の物質が先に汚染された表面上で実質的に検出できないか、または目的の物質が本明細書に記載された方法もしくは本明細書で提供された組成物による処理の後に不活性であることを意味すると意図される。
【００２２】
本明細書で使用する場合、「樹脂」という用語は、固体または液体の有機モノマーまたはポリマー、場合により、重合性で合成性の固体または液体有機モノマーまたはポリマーを表す。樹脂は、水または水溶性材料を溶媒として含む水性樹脂であってもよいし、水に実質的に不溶性である１種以上の非水性有機溶媒を含む有機溶媒樹脂であってもよい。
【００２３】
本明細書において、目的の物質、場合により、生物兵器を含むかまたは生物兵器である目的の物質を封入可能であるかまたはこれに結合可能である中和組成物が提供される。中和組成物は、少なくとも重合性樹脂および活性汚染除去剤を含む。以下により詳細に記載するように、中和組成物は、さらに、１種以上のｐＨ調整剤、顔料、懸濁助剤、レオロジー調整剤、固体吸着剤、イオン交換樹脂または反応性金属酸化物を含むことができる。特定の実施形態に応じて、付加的または代替的な添加剤を含ませることもできる。
【００２４】
樹脂は、場合により、１種以上のポリウレタン、ポリエチレンテレフタレート（ＰＥＴ）、シリコーン、天然もしくは合成ゴムまたは他の材料であるかまたはそれらを含む。樹脂は、場合により、架橋性ポリマー樹脂、場合により、不飽和ポリエステル樹脂またはビニルエステル樹脂等である。プレポリマー樹脂は、場合により、４００および１０，０００ダルトンまたはその間の分子量を有する。
【００２５】
ポリエステルプレポリマーは、場合により、不飽和二塩基酸および／または無水物と１種以上のポリオールとの縮合反応の結果である。ビニルエステル樹脂は、場合により、エポキシ樹脂と単一のエチレン性不飽和を有するカルボン酸との反応生成物である。ビニルエステル樹脂プレポリマーは、典型的には、末端エチレン性不飽和と会合し、一方、ポリエステル樹脂プレポリマーは、典型的には、プレポリマー骨格内部にエチレン性不飽和を含む。
【００２６】
特定の実施形態では、樹脂は、場合により、ビニルエステル樹脂（ビニル樹脂）であり、場合により、水溶性ビニル樹脂である。ビニル樹脂は、水中にビニル樹脂を含むエマルジョンの形態であってよい。ビニル樹脂の実例は、ビニル基を特徴とするアルキルポリマーを含む。特定の例は、中でも、スチレン、イソプレン、他のビニルアルケンまたはそれらの誘導体のポリマーを含む。一部の実施形態では、ビニル樹脂を含むエマルジョンは、約１００℃超の沸点を有することができ、溶液の総重量に基づいて、約２０重量％〜約６０重量％の固形分を含むことができる。一部の特定の実施形態では、エマルジョンは、約２０重量％〜約４０重量％の固形分、場合により、２５重量％〜約３０重量％の固形分またはさらに、約２７重量％の固形分を含む。エマルジョンは、ビニル樹脂を水中で乳化することにより製造することができる。あるいはビニル樹脂は、市販のビニル樹脂エマルジョンであってもよいし、他のポリマー、例示として、スチレン−ブタジエンゴム（ＳＢＲ）を含むかもしくは含まないラテックスの一般的な配合物を含んでもよい。場合により、ビニル樹脂は、水中のポリビニルアルコール（ＰＶＡ）エマルジョンであってよい。適切な市販のビニル樹脂エマルジョンは、Ｇｅｎｅｒａｌ  Ｃｈｅｍｉｃａｌ  Ｃｏｒｐｏｒａｔｉｏｎ（Ｂｒｉｇｈｔｏｎ，ＭＩ）から入手可能な商品名ＦＬＯＯＲＰＥＥＬ（商標）で入手可能なもの（ＦＬＯＯＲＰＥＥＬ（商標）４０００を含む）、Ｖｉｎｎｏｌ  Ｅ１５／４５  ＶＬ（Ｗａｃｋｅｒ  Ｃｈｅｍｉｃａｌ  Ｃｏｒｐｏｒａｔｉｏｎ）、ＵＣＡＲ  ４５１  ＩＣ（Ａｒｋｅｍａ，Ｉｎｃ．）およびＢＨＩ  Ｅｎｅｒｇｙ（Ｗｅｙｍｏｕｔｈ，ＭＡ）から入手可能なＳＴＲＩＰＣＯＡＴ  ＴＬＣ  ＦＲＥＥ（商標）を含むが、これらに限定されない。場合により、エマルジョンは、以下により詳細に記載されるように、凝固（例えば、硬化または乾燥）の際に、固体の剥離可能なポリマー被覆を形成する。
【００２７】
本明細書に記載された実施形態は、ビニル樹脂を含むが、硬化時に固体の剥離可能な被覆を形成し得る任意の他の薄膜形成ポリマーまたはエラストマーを、ビニル樹脂に加えてまたはこれに代えて使用できることが企図される。例えば、エラストマーシリコーン（例えば、ポリシロキサン）を、中和組成物に使用することができる。一部の態様では、ポリシロキサンの剥離可能な被覆組成物が、特開２００１−０８９６９７号公報に記載されている。
【００２８】
特定の態様では、中和組成物は、１種以上の活性汚染除去剤を含む。活性汚染除去剤は、例えば、殺生物剤であってよい。一部の実施形態では、活性汚染除去剤は、例えば、１種以上の目的の物質、場合により、生物兵器、化学系神経剤、化学系びらん剤、血液剤および／または肺損傷剤を無効にするのに有効なタンパク質、酵素または化学物質であってよい。本明細書で使用する場合、「無効にする」とは、損なわせる、実質的に不活性にするまたは封入することを意味する。
【００２９】
種々の実施形態では、活性汚染除去剤は、第四級アンモニウム化合物もしくは混合物、第四級ホスホニウム化合物もしくは混合物または他の殺生物剤であってよい。場合により、殺生物剤は、第四級アンモニウム化合物または混合物、例示として、塩化ベンザルコニウム（ＢＡＣ）、例えば、塩化ベンジルトリメチルアンモニウム、塩化ベンジルトリエチルアンモニウム等である。場合により、殺生物剤は、第四級ホスホニウム化合物、例示として、硫酸テトラキスヒドロキシメチルホスホニウム（ＴＨＰＳ）である。
【００３０】
場合により、他の活性汚染除去剤は、例示として、トリクロサン（２，４，４’−トリクロロ−２’−ヒドロキシジフェニルエーテル）、ストレプトマイシン、ナトリウムフリチオン（ＬｏｎｚａからＳｏｄｉｕｍ  Ｏｍａｄｉｎｅ（登録商標）として市販されている）、ジクロルフェン、メチレンビスチオシアネートおよびこれらの組み合わせを使用することができる。他の適切な活性汚染除去剤は、ホルムアルデヒド供与体（例えば、パラホルムアルデヒド、Ｎ−ホルマール、Ｏ−ホルマール）、高級アルデヒド供与体（例えば、グルタルアルデヒド、オルト−フタルアルデヒド）、二酸化塩素発生剤および過酸素物発生剤を含むことができる。
【００３１】
一部の実施形態では、特定の目的の物質に応じて、他の活性汚染除去剤を使用することができる。理論に拘束されるものではないが、適切な活性汚染除去剤は、下記３つのメカニズム：タンパク質の変性；スルフヒドラル酵素およびアミノ酸の酸化またはアルキル化；ならびに細胞壁におけるアクセスポイントの破壊または結合のうちの少なくとも１つに従って作用すると考えられる。殺生物剤は、標的に到達し、１種以上の作用メカニズムを実行することにより、目的の物質を無効にする。さらに、活性汚染除去剤をポリマーマトリクスに組み込むことにより、活性汚染除去剤の放出を制御することができると考えられる。
【００３２】
理論に拘束されるものではないが、市販の殺生物剤は、本明細書で提供されるように活性汚染除去剤として使用される場合、数多くの利点を提供することができると考えられる。同利点は、幾つかのクラスの細菌に対する広域スペクトル有効性、ｐｐｍレベルでの活性ならびにＦＤＡおよび／またはＥＰＡでの使用のための以前の製造者登録を含むが、これらに限定されない。種々の実施形態では、殺生物剤は、ＴＨＰＳを含むことができる。
【００３３】
種々の実施形態では、活性汚染除去剤は、ブレンド殺生物剤組成物、例えば、トリクロサン、ＢＡＣおよびＴＨＰＳのブレンドを含むことができる。例えば、活性汚染除去剤は、活性汚染除去剤の総重量に基づいて、０重量％超から約６．６重量％までのトリクロサンと、０重量％超から約２．５重量％までのＢＡＣと、０重量％超から約３．０重量％までのＴＨＰＳとを含むことができる。一部の実施形態では、活性汚染除去剤は、活性汚染除去剤の総重量に基づいて、約０．１重量％〜約１重量％のトリクロサンと、約０．１重量％〜約２．５重量％のＢＡＣと、約０．１重量％〜約３．０重量％のＴＨＰＳとを含むことができる。特定の一実施形態では、活性汚染除去剤は、活性汚染除去剤の総重量に基づいて、約０．５重量％のトリクロサンと、約０．５重量％のＢＡＣと、約１．５重量％のＴＨＰＳとを含むことができる。
【００３４】
活性汚染除去剤は、任意の適切な量で存在することができる。種々の実施形態では、中和組成物は、中和組成物の総重量に基づいて、約１重量％〜約１５重量％の活性汚染除去剤を含む。例えば、中和組成物は、中和組成物の総重量に基づいて、約１重量％〜約１５重量％の活性汚染除去剤、約１重量％〜約１４重量％の活性汚染除去剤、約１重量％〜約１３重量％の活性汚染除去剤、約１重量％〜約１２重量％の活性汚染除去剤、約２重量％〜約１５重量％の活性汚染除去剤または約２重量％〜約１４重量％の活性汚染除去剤を含むことができる。一部の実施形態では、例えば、中和組成物が使用前に希釈される場合、より高濃度の活性汚染除去剤が含まれてもよいことが企図される。
【００３５】
２種以上の活性汚染除去剤が、中和組成物中に存在することができる。場合により、１、２、３、４、５種またはそれ以上の活性汚染除去剤が存在することができる。場合により、少なくとも２種の汚染除去剤が存在し、場合により、異なる機能活性を有する。場合により、少なくとも３種の汚染除去剤が存在し、場合により、異なる機能活性を有する。
【００３６】
種々の実施形態では、中和組成物は、中和組成物のｐＨを調整するためのｐＨ調整剤を含むことができる。適切なｐＨ調整剤は、一例として、炭酸ナトリウム、炭酸カルシウム、重炭酸ナトリウム、四ホウ酸ナトリウム六水和物（すなわち、Ｂｏｒａｘ）、水酸化ナトリウムおよびこれらの組み合わせを含むことができるが、これらに限定されない。種々の実施形態では、ｐＨ調整剤は、中和組成物のｐＨを約６．０超のｐＨにするために、任意の適切な量で添加することができる。例えば、ｐＨ調整剤は、中和組成物を約８．０〜約９．０のｐＨにすることができる。一部の特定の実施形態では、中和組成物は、約８．５のｐＨを有する。理論に拘束されるものではないが、約８．５のｐＨが、活性汚染除去剤の見かけの濃度をもたらすことができ、中和組成物のより高い効力をもたらすと考えられる。
【００３７】
場合により、中和組成物は、中和組成物に色を付与しまたはその色を変えるために、１種以上の顔料を含むことができる。例えば、顔料は、組成物が表面上に被覆を形成する場合に、使用者が表面上の被覆を容易に識別し、表面からの被覆の除去を確認することができるように、中和組成物中に含ませることができる。活性汚染除去剤の効力に著しい悪影響を及ぼさない限り、各種の適切な顔料のいずれか１種を利用することができる。一部の実施形態では、顔料は、二酸化チタン（ＴｉＯ２）、酸化鉄、カーボンブラックまたは治癒を著しく阻害したりまたは中和に影響したりしない任意の顔料であってよい。中和組成物に含まれる場合、顔料は、約０重量％〜約２５重量％の量またはそれらの間の任意の値もしくは範囲で存在することができる。
【００３８】
中和組成物は、さらに、１種以上の任意の懸濁助剤を含むことができる。懸濁助剤は、中和組成物中の粒子の安定性を高めて、粒子が凝集し、組成物から沈降しまたは浮遊するのを防止することができる。任意の適切な懸濁助剤、例えば、クレイ、セルロース系多糖類、合成炭化水素ポリマー、生体ポリマー多糖類、アクリル系コポリマー等を使用することができる。一部の実施形態では、カオリンクレイを、懸濁助剤として使用することができる。中和組成物に含まれる場合、懸濁助剤は、約０重量％〜約１０重量％の量またはそれらの間の任意の値もしくは範囲、場合により、０．１重量％〜１０重量％の量で存在することができる。
【００３９】
種々の実施形態では、任意のレオロジー調整剤が、さらに、中和組成物に含まれる。レオロジー調整剤は、典型的には、粘度を向上させることにより、分散液の粘度を変化させるように作用する、１種以上の化合物である。一部の実施形態では、懸濁助剤は、付加的に、レオロジー調整剤として機能することができる。種々の実施形態では、レオロジー調整剤は、水系レオロジー調整剤、例えば、疎水性調整エトキシレートウレタン（ＨＥＵＲ）である。ただし、特定の実施形態に応じて、他のレオロジー調整剤を利用できることが企図される。レオロジー調整剤を含む実施形態では、中和組成物は、中和組成物の総重量に基づいて、約０重量％〜約２５重量％のレオロジー調整剤を含むことができる。
【００４０】
中和組成物は、さらに、任意の固体吸着剤を含むことができる。固体吸着剤が含まれる実施形態では、固体吸着剤は、目的の物質との相互作用のためのより大きな表面積を提供することができ、中和組成物中の反応物のためのリザーバとして作用することができる。種々の実施形態では、固体吸着剤は、ナノ結晶または微粉末の形態にある。ナノ結晶または微粒子の使用は、ポリマーマトリクス中への混合を容易にしかつ／または表面積をさらに大きくすることができると考えられるが、固体吸着剤は、他の形態で存在できることが企図される。固体吸着剤は、例えば、フラー土、シリカゲル、アモルファスシリケート等であってよい。他の固体吸着剤、例えば、木炭または他の公知の固体吸着剤を利用することができる。固体吸着剤を含む実施形態では、中和組成物は、中和組成物中のポリマー固形分の総重量に基づいて、約１重量％〜約２５重量％の固体吸着剤を含むことができる。
【００４１】
中和組成物の一部の実施形態は、さらに、任意の反応性金属酸化物を含むことができる。反応性金属酸化物が含まれる場合、反応性金属酸化物は、目的の物質の毒性を軽減するのに使用することができる。種々の実施形態では、反応性金属酸化物は、ナノ結晶金属酸化物の形態であってよい。理論に拘束されるものではないが、反応性金属酸化物は、固体吸着剤と共に作用することができ、両方が中和組成物に含まれる場合、目的の物質と反応し、保持するが、中和組成物のポリマー基材を劣化させないと考えられる。例えば、目的の物質は、ポリマー内に吸収されて、固溶体を形成することができ、毒性副生成物は、ポリマーマトリクス内を移動し続けることができる。したがって、反応性金属酸化物および／または固体吸着剤は、副生成物と反応しかつ／または副生成物を吸着し、副生成物の危険性をなくすことができる。
【００４２】
金属酸化物は、例えば、二酸化チタン、酸化マグネシウム、ナノ結晶石灰（ＣａＯ）、酸化アルミニウム等であってよい。一部の実施形態では、金属酸化物は、ハロゲン付加物（例えば、Ｃｌ２またはＢｒ２）を含むことができる。金属酸化物を含む実施形態では、中和組成物は、中和組成物中のポリマー固形分の総重量に基づいて、約０重量％〜約１０重量％の金属酸化物を含むことができる。
【００４３】
金属酸化物に代えてまたは加えて、一部の実施形態は、蒸気の危険を引き起こすおそれがある有毒物質の中和を助ける１種以上の他の物質を含むことができる。例えば、金属イオン触媒（例えば、銅（ＩＩ））、汚染除去および生分解のための酵素、触媒酸化剤、例えば、Ｎ−シクロヘキシル−２−ピロリドン、固体ポリマーマトリクスおよび／またはイオン交換樹脂を含ませることができる。イオン交換樹脂は、例えば、酸性カチオン交換樹脂または塩基性アニオン交換樹脂であってよい。
【００４４】
中和組成物を製造するために、活性汚染除去剤および任意の添加剤（ｐＨ調整剤、顔料、懸濁助剤、レオロジー調整剤、固体吸着剤、イオン交換樹脂または反応性金属酸化物を含むが、これらに限定されない）をビニル樹脂に添加し、完全に混合することができる。場合により、ビニル樹脂の懸濁液は、溶媒、例えば、水または他の適切な溶媒中で製造される。汚染除去剤、調整剤（例えば、レオロジー調整剤、顔料、吸着剤等）および他の添加剤を添加して、ポリマー固形分の正確な割合への希釈を完了させることができる。これは、直接塗工することができる。場合により、特定の化学的性質を必要とする活性物質を、塗工直前に添加することができる。
【００４５】
使用時に、中和組成物は、目的の物質を含む表面への被覆として塗工することができる。表面は、例えば、硬質の非多孔質表面、例えば、ガラス、金属表面（例えば、ステンレス鋼）、塗装表面、コンクリート表面等であってよい。他の表面が企図され、ポリマー表面（例えば、プラスチック）、可撓性表面、多孔質表面、繊維質表面、および布地表面を含むが、これらに限定されない。
【００４６】
目的の物質は、例えば、生物兵器（天然もしくは非天然の生物またはその成分）、化学系神経剤、化学系びらん剤、血液剤（すなわち、血液中に存在し、血液中で複製し、血液成分に感染し、血液成分の機能を変化させ、血液成分を構造的に変化させる場合がある作用物質）、肺損傷剤、有毒工業化学物質および／または有毒工業物質である場合がある。
【００４７】
有毒工業化学物質または有毒工業物質の実例は、中でも、ベンゼンアクリルアミド、塩素、塩化水素、ホスゲン、アルドリン、ジルドリン、エンドリン、リンダン、ヘプタクロル、ピペロニルブトキシド、ペンタクロロフェノール、ヘキサクロロベンゼン、シアン化カルシウム、臭化メチル、ホスフィン、酢酸メチル水銀、シアン化メチル水銀、石油廃棄物を含むが、これらに限定されない。
【００４８】
生物兵器は、場合により、細菌、ウイルス、真菌、原虫、蠕虫、昆虫またはタンパク質（場合により、感染性タンパク質）である。場合により、生物兵器は、細菌生物である。細菌生物は、場合により、スタフィロコッカス・アウレウス（Ｓｔａｐｈｙｌｏｃｏｃｃｕｓ  ａｕｒｅｕｓ）、バシラス・アントラシス（Ｂａｃｉｌｌｕｓ  ａｎｔｈｒａｃｉｓ）、シュードモナス・アレジノーザ（Ｐｓｅｕｄｏｍｏｎａｓ  ａｅｒｕｇｉｎｏｓａ）、アシネトバクター・バウマニー（Ａｃｉｎｅｔｏｂｃｔｅｒ  ｂａｕｍａｎｎｉｉ）、バシラス・スブチリス（Ｂａｃｉｌｌｕｓ  ｓｕｂｔｉｌｉｓ）、バシラス・グロビギー（Ｂａｃｉｌｌｕｓ  ｇｌｏｂｉｇｉｉ）、エルシニア・ペスティス（Ｙｅｒｓｉｎｉａ  ｐｅｓｔｉｓ）、フランシセラ・ツラレンシス（Ｆｒａｎｃｉｓｅｌｌａ  ｔｕｌａｒｅｎｓｉｓ）、Ｂｒ．メリテンシス（Ｂｒ．ｍｅｌｉｔｅｎｓｉｓ）、バークホルデリア・シュードマレイ（Ｂｕｒｋｈｏｌｄｅｒｉａ  ｐｓｅｕｄｏｍａｌｌｅｉ）、Ｃ．ボツリナム（Ｃ．ｂｏｔｕｌｉｎｕｍ）またはバークホルデリア・マレイ（Ｂｕｒｋｈｏｌｄｅｒｉａ  ｍａｌｌｅｉ）のうちの１種以上である。生物兵器は、場合により、細菌胞子、場合により、バシラス・アントラシス（Ｂａｃｉｌｌｕｓ  ａｎｔｈｒａｃｉｓ）またはバシラス・チューリンゲンシスの変種クルスターキ（Ｂａｃｉｌｌｕｓ  ｔｈｕｒｉｎｇｉｅｎｓｉｓ  ｖａｒ．Ｋｒｕｓｔａｋｉ）の胞子である。
【００４９】
生物兵器は、場合により、ウイルスである。ウイルスの実例は、中でも、ヒト免疫不全ウイルス（ＨＩＶ）、ノロウイルス、水痘ウイルス、痘瘡ウイルス、狂犬病ウイルス、パピローマウイルス、サイトメガロウイルスを含むが、これらに限定されない。他の実例は、中でもフィロウイルス科（Ｆｉｌｏｖｉｒｉｄａｅ）のウイルス(例えば、マールブルグ（Ｍａｒｂｕｒｇ）ウイルスおよびエボラ（Ｅｂｏｌａ）ウイルス)、アレナウイルス科（Ａｒｅｎａｖｉｒｉｄａｅ）のウイルス(例えば、ラッサ（Ｌａｓｓａ）ウイルスおよびマチュポ（Ｍａｃｈｕｐｏ）ウイルス)、アルファウィルス（例えば、ベネズエラウマ脳炎、東部ウマ脳炎、西部ウマ脳炎）、ニパ（Ｎｉｐａｈ）ウイルス、ハンタ（Ｈａｎｔａ）ウイルス、Ｈ１Ｎ１または他のインフルエンザウィルスを含む。
【００５０】
目的の物質が、生物兵器である場合、例えば、カテゴリーＡまたはカテゴリーＢの生物兵器、例えば、バシラス・アントラックス（Ｂａｃｉｌｌｕｓ  ａｎｔｈｒａｘ）(炭疽)、クロストリジウム・ボツリズム（Ｃｌｏｓｔｒｉｄｉｕｍ  ｂｏｕｔｕｌｉｓｍ）(ボツリヌス中毒)、エルシニア・ペスティス（Ｙｅｒｓｉｎｉａ  ｐｅｓｔｉｓ）（ペスト）、大痘瘡（天然痘）または他の天然痘ウイルス、フランシセラ・ツラレンシス（Ｆｒａｎｃｉｓｅｌｌａ  ｔｕｌａｒｅｎｓｉｓ）ウイルス(野兎病)、ウイルス性出血熱ウイルス、アレナウイルス、ブニアウイルス、フラビウイルス（デングを含む）、フィロウイルス（エボラおよびマールブルグを含む）、バークホルデリア・シュードマレイ（Ｂｕｒｋｈｏｌｄｅｒｉａ  ｐｓｅｕｄｏｍａｌｌｅｉ）（類鼻疽）、コクシエラ・バーネッティイ（Ｑ熱）、ブルセラ（Ｂｒｕｃｅｌｌａ）種、リシン、スタフィロコッカス（ｓｔａｐｈｙｌｏｃｏｃｃｕｓ）エンテロトキシンＢ、細菌（大腸菌（Ｅ．ｃｏｌｉ）、サルモネラ（ｓａｌｍｏｎｅｌｌａ）、リステリア・モノサイトジーン（Ｌｉｓｔｅｒｉａ  ｍｏｎｏｃｙｔｏｇｅｎｅｓ）、Ａ型肝炎、蚊媒介脳炎ウイルス等である場合がある。一部の実施形態では、目的の物質は、生物兵器、化学系神経剤、化学系びらん剤、血液剤、肺損傷剤および／または有害工業化学物質の類似体である場合がある。特定の一実施形態では、目的の物質は、バシラス・アントラシス（Ｂａｃｉｌｌｕｓ  ａｎｔｈｒａｃｉｓ）（Ｂ．ａｎｔｈｒａｃｉｓ）またはバシラス・アトロファエウス（Ｂａｃｉｌｌｕｓ  ａｔｒｏｐｈａｅｕｓ）（Ｂ．ａｔｒｏｐｈａｅｕｓ）、バシラス・アントラシス（Ｂ．ａｎｔｈｒａｃｉｓ）の類似体またはその胞子であってよい。
【００５１】
中和組成物は、任意の適切な被覆法を使用して、水性（または他の液体）組成物として表面に塗工することができる。例えば、中和組成物は、噴霧、回転等により塗工することができる。一部の特定の実施形態では、中和組成物は、中和組成物を表面上に噴霧することにより塗工される。簡単に上記されたように、種々の実施形態では、中和組成物は、場合により、中和組成物が十分に重合しまたは乾燥し、表面を被覆し続けるように、傾斜したまたはさらには垂直なまたはオーバーヘッド（例えば、ぶら下がっている）表面上に被覆として塗工可能な粘度を有する。
【００５２】
場合により、中和組成物は、被覆に実質的に穴、ギャップまたは中断なしに、表面を実質的に完全に被覆するように表面に塗工される。中和組成物は、任意の適切な厚みで塗工することができるが、種々の実施形態では、中和組成物は、硬化後に約１００μｍ〜約５００μｍの厚みを有するポリマー被覆を生成するのに十分な厚みで塗工される。より薄いまたはより厚い被覆を塗工することができるが、被覆は、材料の浪費または硬化時間に悪影響を及ぼさないように十分に薄くしながら、剥離により完全に除去可能でありかつ目的の物質を完全に中和することができるように適切な特性（強度および弾性を含む）を示すのに十分な厚みであるべきである。
【００５３】
中和組成物が表面に塗工された後、中和組成物は、目的の物質を封入して、目的の物質を効果的に中和する。特に、中和組成物は、表面と目的の物質と環境との間に閉塞シールを形成することができ、これは、目的の物質を環境から封入するのに有効であると考えられる。例えば、中和組成物中の活性汚染除去剤は、表面上に存在する目的の物質の粒子の周りを流れ、同粒子を被覆しまたは何らかの方法で同粒子に付着することができる。目的の物質が封入されている間に、活性汚染除去剤は、目的の物質をさらに中和するように機能する。より詳細に上記されたように、目的の物質の中和メカニズムを、利用される特定の活性汚染除去剤に応じて変化させることができる。中和組成物に１種以上の添加剤を含む実施形態では、目的の物質の中和の副生成物が場合により上記されたように、１種以上の添加剤によりさらに分解されまたは何らかの方法で無毒化できることがさらに企図される。
【００５４】
目的の物質が封入された後、中和組成物が硬化されることにより、図１に示されたように、表面上にポリマー被覆が形成される。硬化は、室温で行うことができ、または一部の実施形態では、中和組成物をポリマー被覆に硬化させるために、被覆を、光および／または熱に曝露することができる。種々の実施形態では、中和組成物は、中和組成物が被覆として塗工された時点から約２時間以内の時間内に硬化される。利用される特定の薄膜形成ポリマーまたはエラストマーに応じて、より長いまたはより短い硬化時間が企図される。ただし、一部の実施形態では、表面からの目的の物質の効率的な除去を可能にするために、約２時間以内の硬化時間が望ましい場合がある。中和組成物が硬化するにつれて、目的の物質の粒子は、ポリマー被覆に付着しまたは捕捉されるようになる。
【００５５】
中和組成物が表面上でポリマー被覆に硬化された後、ポリマー被覆は、場合により、図１に例証されたように、表面から剥離される。ポリマー被覆の除去は、硬化が完了した後まもなくまたは直後に、例えば、表面が使用される際に行うことができ、または除去は、しばらく後に行うこともできる。例えば、ポリマー被覆は、表面の周りで作業が行われる間、目的の物質による交差汚染の懸念なしに、適所に残すことができる。種々の実施形態では、ポリマー被覆は、剥落することなく、１ピースまたは幾つかの大きなピースで剥離させることができる。したがって、ポリマー被覆は、その中に封入された目的の物質と共に、表面からそれを剥離させることにより、表面から完全に除去することができる。中和組成物が顔料を含む実施形態では、一例として、ポリマー被覆の除去が完了したことの確認は、例えば、表面上に着色ポリマー被覆が残っていないことを観察することにより、視覚的に行うことができる。
【００５６】
表面から除去された後、ポリマー被覆は、目的の物質を環境から隔離した状態に保つために、それ自体を巻くかまたは折り畳むことができる。このような場合、目的の物質が、活性汚染除去剤により完全には中和されていなかった場合でも、目的の物質が環境をさらに汚染しまたは環境を通して広がったりすることが防止される。さらに、目的の物質が完全には中和されていなかった場合、目的の物質の中和は、ポリマー被覆が表面から剥離された後に継続することができる。
【００５７】
また、装置の部品としてまたは装置自体として、本明細書で提供された中和組成物を利用する、サンプリング装置も提供される。サンプリング装置の一部の実施形態では、中和組成物は、装置の１つ以上の表面またはシート材料の側面に塗工することができる。シート材料は、例えば、比較的硬質の材料、場合により、重合済みまたはそうでなければ硬質のポリマーから形成することができる。例証的なポリマーは、中でも、ポリカーボネート、ポリフッ化ビニリデン（ＰＶｄＦ）、ポリスチレン、アクリル、ナイロン、ポリエチレン、ポリプロピレン、ポリ塩化ビニルを含むことができる。中和組成物は、シート材料の表面上に被覆された接着剤組成物として配合することができる。
【００５８】
シート材料への塗工後、中和組成物は、直ちにまたは後に使用するために乾燥させることができる。場合により、サンプリング装置で利用される場合に、中和組成物を活性化するために、中和組成物は、例えば、水または他の適切な活性化剤で領域を湿らせることにより活性化させることができる。例えば、滅菌水は、アプリケータを使用して表面に塗工することができる。あるいは、シート材料上のフィルムの粘着性を維持するために、中和組成物上に保護ストリップを配置することができる。このような実施形態では、保護ストリップは、中和組成物から形成された薄膜を露出させるために、サンプリング装置を使用する前に除去することができる。
【００５９】
活性化されると、中和組成物は、中和組成物が目的の物質に曝される際、空気中または表面上で目的の物質に付着しまたは同物質を吸収することができる。例えば、サンプリング装置は、中和組成物を含む側が表面と接触した状態で表面に塗工することができ、目的の物質は、中和組成物に付着することができる。あるいは、例えば、目的の物質が空気中に汚染物質として存在する実施形態では、サンプリング装置は、目的の物質が中和組成物に付着するのを可能にするのに十分な時間、空気に曝露させることができる。
【００６０】
場合により、サンプリング装置は、折り畳み可能であってよい。中和組成物を含むシート材料は、中和組成物を目的の物質に曝露させた後に、場合により、目的の物質を内部に密封するために、それ自体折り重ねることができる。図２に、装置が折り畳み可能である種々の実施形態に係るサンプリング装置２００を模式的に示す。図２において、中和組成物は、シート材料の内部パネル２０２ａに薄膜として塗工することができる。中和組成物は、付加的または代替的に、シート材料の内部パネル２０４に薄膜として塗工することができる。目的の物質に曝された後、内部パネル２０２ａを折り畳んで、内部パネル２０４と接触させ、内部パネル２０２ａおよび２０４を互いに接着させ、一方、内部パネル２０２ａからシート材料の反対側にあるパネル２０２ｂを曝すことができる。次に、サイドパネル２０６ａおよび２０６ｂを折り畳んで、パネル２０２ｂと接触させることができる。サイドパネル２０６ａおよび２０６ｂが折り畳まれると、サイドパネル２０６ａおよび２０６ｂそれぞれからシート材料の反対側にあるサイドパネル２０６ｃおよび２０６ｄを見ることができる。最後に、トップパネル２０８ａは、パネル２０２ｂならびにサイドパネル２０６ｃおよび２０６ｄと接触するように折り畳むことができる。このため、図２に示されたように、折り畳まれたとき、中和組成物を含む表面が、完全に密封され、シート材料の反対側のみが環境に曝される。
【００６１】
次いで、中和組成物は、試験または他の分析施設への輸送のために、包装材料、例えば、二軸延伸ポリエチレンテレフタレート（ＢＯＰＥＴ；ＭＹＬＡＲ（登録商標）として市販されている）から形成されたエンベロープ内に密封することができる。ただし、一部の実施形態では、サンプリング装置の試験または少なくとも部分的な処理を、収集と同じ場所で行えることが企図される。
【００６２】
分析のために、中和組成物単独またはサンプリング装置全体を、有機溶媒または水性溶媒系に溶解させることができる。一部の実施形態では、溶媒は、単に、水または水系溶液であってよい。例えば、中和組成物またはサンプリング装置を、水中に置き、ボルテックスおよび／または遠心分離で溶解させることができる。中和組成物に利用される特定の材料に応じて、他の溶媒を使用することができる。ろ過、回収および他の抽出技術を利用して、分析サンプルとして目的の物質を保持しかつ／または濃縮することができる。
【００６３】
目的の物質の分析サンプルを得た後、１回以上のアッセイを行って、目的の物質を特定しかつ／または目的の物質の中和を確認することができる。例えば、任意の１種以上の公知のクロマトグラフィー技術、分光技術または他の分析化学技術を利用することができる。これらの技術は、ガスクロマトグラフィー（ＧＣ）、液体クロマトグラフィー（ＬＰまたはＨＰＬＣ）、質量分析、ｘ線（ｘ−ｔｒａｙ）回折、原子吸光、走査型電子顕微鏡法等を含むが、これらに限定されない。代替的または付加的に、ＤＮＡアッセイ、直接胞子計数等を利用することができる。分析の結果、汚染除去を確認することができ、汚染の原因を特定することができ、他の汚染除去法を実施することができる。
【００６４】
本発明の種々の態様が、下記の非限定的な実施例により例証される。実施例は、例証の目的のためのものであり、本発明のいかなる実施も限定するものではない。本発明の趣旨および範囲から逸脱することなく、変形および修正を行うことができると理解されるであろう。本明細書中に例証された試薬は市販されており、当業者であれば、このような試薬を得られることを容易に理解する。
【００６５】
実施例
ガラス担体上で乾燥させたバシラス・アトロファウス（Ｂａｃｉｌｌｕｓ  ａｔｒｏｐｈａｅｕｓ）の細菌内生胞子を除去し、殺傷する液体および／またはポリマー中和組成物の能力を、ＡＳＴＭ法Ｅ２４１４−０５「Ｓｔａｎｄａｒｄ  Ｔｅｓｔ  Ｍｅｔｈｏｄ  ｆｏｒ  Ｑｕａｎｔｉｔａｔｉｖｅ  Ｓｐｏｒｉｃｉｄａｌ  Ｔｈｒｅｅ−Ｓｔｅｐ  Ｍｅｔｈｏｄ（ＴＳＭ）  ｔｏ  Ｄｅｔｅｒｍｉｎｅ  Ｓｐｏｒｉｃｉｄａｌ  Ｅｆｆｉｃａｃｙ  ｏｆ  Ｌｉｑｕｉｄｓ，  Ｌｉｑｕｉｄ  Ｓｐｒａｙｓ，  ａｎｄ  Ｖａｐｏｒ  ｏｒ  Ｇａｓｅｓ  ｏｎ  Ｃｏｎｔａｍｉｎａｔｅｄ  Ｃａｒｒｉｅｒ  Ｓｕｒｆａｃｅｓ」に実質的に従い、わずかな変更を加えて確認した。試験は、基材として２．５ｃｍ×２．５ｃｍの顕微鏡スライドガラスを使用して行った。試料調製管は、標準的な１．５ｍｌ微量遠心管の代わりに、５０ｍｌ円錐遠心管とした。
【００６６】
簡潔に、個々のカバーガラス（２５ｍｍ×２５ｍｍ）に、約１．７×１０１０個の胞子／ｍｌのアリコート（０．１ｍｌ）バシラス  アトロフェウス（Ｂａｃｉｌｌｕｓ  ａｔｒｏｐｈａｅｕｓ）胞子(Ｒａｖｅｎ  Ｂｉｏｌｏｇｉｃａｌ  Ｌａｂｏｒａｔｏｒｉｅｓ，Ｉｎｃ．)懸濁液をスパイクし、表面上に均一に広げ、一晩乾燥させる。スパイクされた領域が試験中に中和組成物で完全に覆われ得ることを確実にするために、３ｍｍの縁部をスパイクされないままにした（すなわち、スライドの側縁部または背面には、一時的な胞子が含まれなかった）。植菌前に、スライドガラスを予め滅菌し、エタノールを使用して予備洗浄して、指紋または他の汚染物質を除去し、クーポンを乾燥させた。
【００６７】
種々の量の活性汚染除去剤である硫酸テトラキスヒドロキシメチルホスホニウム（ＴＨＰＳ）、トリクロサンまたは塩化ベンザルコニウム（ＢＡＣ）を、活性汚染除去剤の最終量が１重量％、２重量％または４重量％となる種々の組み合わせで添加した、ＦＬＯＯＲＰＥＥＬ（商標）４０００（Ｇｅｎｅｒａｌ  Ｃｈｅｍｉｃａｌ  Ｃｏｒｐｏｒａｔｉｏｎ（Ｂｒｉｇｈｔｏｎ，ＭＩ）として販売されているビニル樹脂（水中で２０重量％）を使用して、一連の中和組成物を形成する。Ｎａ２ＣＯ３を使用して、中和組成物の最終ｐＨを、約８．３に調整する。中和組成物の配合物を、形成から１時間以内に試験する。
【００６８】
スチール基材を含む使い捨て被覆装置を使用して、ガラス基材上に小さなガラス担体を被覆した。そのガラス担体の両側に２枚のガラスシートを接着した。被覆される担体を、単一のレベル平面を形成するために、隣接するプレートのセットにより形成されたチャネル内に配置した。担体を被覆するために、ドローダウンバーを、複合ガラス表面を横切って引きずり、次いで、被覆されたガラス担体を除去し、乾燥させた。これらの被覆のために、１２ミルのギャップを有するドローダウンバーを使用し、約６ミルの乾燥厚みを得た。ポリマーエマルジョンを１２０分間乾燥させた。
【００６９】
１２０分の接触時間の後、乾燥した中和組成物それぞれを、滅菌鉗子でガラス基材から剥離させ、ガラス上に残存する胞子を、数および培養性の両方についてアッセイした。試験基材を５０ｍｌ円錐管（管１本当たり１枚）に個々に入れ、十分な量の冷成長培地（すなわち、２０ｍｌ）を添加して材料を完全に覆う。次いで、この管を、１０分間超音波処理し、２分間ボルテックス処理した。代替的に、胞子を、ポリスマンを使用して、ガラス基材の表面から掻き取った。除去後に回収された胞子を、ペトロフハウザー（Ｐｅｔｒｏｆｆ−Ｈａｕｓｓｅｒ）カウントチャンバーを使用して、位相差顕微鏡により直接カウントし、次いで、一連の１０倍の系列希釈を経てＴＳＡプレートに播種し、増殖によるコロニー形成単位（ＣＦＵ）として培養可能な胞子の数を決定した。プレートを、３７℃で２４時間培養し、コロニー数をカウントし、プレートを培養し、４８時間で再度カウントする。コロニー数はｌｏｇ１０に変換し、減少を、対数減少と殺菌率の両方として報告する。結果を、表１に示す。
【表１】
2020527975.tif 000003
ネガティブコントロールとして、活性汚染除去剤を何ら含まない中和組成物も試験した。結果から、播種した胞子の９３％超が硬化した中和組成物に付着しまたは同中和組成物に埋め込まれることにより除去されたことが示された。中和組成物中の殺生物剤の存在、特に２重量％および４重量％での殺生物剤の存在により、ガラススライド上に残存するいくらかの胞子の生存率が劇的に低下した。その結果として、中和組成物の剥離後にこれらのサンプル中において、胞子増殖は、実質的に見出されなかった。
【００７０】
特定の実施形態が、本明細書において図示され、記載されているが、特許請求される主題の趣旨および範囲から逸脱することなく、種々の他の変更および修正を行うことができると理解されたい。さらに、特許請求される主題の種々の態様が本明細書に記載されているが、そのような態様は、組み合わせて利用される必要はない。したがって、添付の特許請求の範囲は、特許請求される主題の範囲内にあるこのような全ての変更および修正を網羅すると意図される。
【図１】
2020527975.tif 000004
【図２】
2020527975.tif 000005
【国際調査報告】
2020527975.tif 000006
2020527975.tif 000007
2020527975.tif 000008
2020527975.tif 000009